(57)【要約】【課題】従来の立体視検査装置においては、立体パターンが見やすいか否かを検査できない、という課題があった。【解決手段】右目用の情報と左目用の情報が異なる両眼性ノイズの情報である両眼性ノイズ情報を格納している両眼性ノイズ情報格納部と、前記両眼性ノイズ情報格納部の両眼性ノイズ情報を取得する両眼性ノイズ情報取得部と、前記両眼性ノイズ情報取得部が取得した両眼性ノイズ情報を出力する両眼性ノイズ情報出力部と、を具備する立体視検査装置により、立体パターンが見やすいか否かを検査できる。【選択図】図１
2006304811.tif 000002
【特許請求の範囲】
【請求項１】
右目用の情報と左目用の情報が異なる両眼性ノイズの情報である両眼性ノイズ情報を格納している両眼性ノイズ情報格納部と、
前記両眼性ノイズ情報格納部の両眼性ノイズ情報を取得する両眼性ノイズ情報取得部と、
前記両眼性ノイズ情報取得部が取得した両眼性ノイズ情報を出力する両眼性ノイズ情報出力部と、を具備する立体視検査装置。
【請求項２】
前記出力された両眼性ノイズ情報に対する回答を受け付ける回答受付部と、
前記回答に基づいて正誤を判断する正誤判断部と、
前記正誤判断部における判断結果を出力する判断結果出力部を具備する請求項１記載の立体視検査装置。
【請求項３】
前記両眼性ノイズ情報は、右目用の図柄と左目用の図柄が、ターゲットを除いて同じであり、かつ両図柄の位置がずれている両眼網膜像差ノイズの情報である請求項１または請求項２記載の立体視検査装置。
【請求項４】
前記両眼性ノイズ情報は、右目用の図柄と左目用の図柄が異なる両眼間非対応ノイズの情報である請求項１または請求項２記載の立体視検査装置。
【請求項５】
コンピュータに、
格納している両眼性ノイズ情報を取得する両眼性ノイズ情報取得ステップと、
前記両眼性ノイズ情報取得ステップで取得した両眼性ノイズ情報を出力する両眼性ノイズ情報出力ステップと、を実行させるためのプログラム。
【請求項６】
コンピュータに、
前記出力された両眼性ノイズ情報に対する回答を受け付ける回答受付ステップと、
前記回答に基づいて正誤を判断する正誤判断ステップと、
前記正誤判断ステップにおける判断結果を出力する判断結果出力ステップと、をさらに実行させるための請求項７記載のプログラム。
【発明の詳細な説明】
【技術分野】
【０００１】
本発明は、立体テレビなどの装置で用いられる立体視検査装置、および立体視検査方法等に関するものである。
【背景技術】
【０００２】
従来の立体視検査装置において、ランダムドットパターンのみからなる動画像と、ランダムドットパターン画像からなる背景画像上にランダムドットパターンから構成された指標画像が立体的に表示された３次元画像とを、切り替えて表示させることにより、新規なランダムドットテストを行なえた（例えば、特許文献１参照）。
【特許文献１】特開平１１−５６７８０号公報（第１頁、第１図等）
【発明の開示】
【発明が解決しようとする課題】
【０００３】
しかしながら、従来の立体視検査装置においては、立体を出力できるかどうかを検査するものであったが、立体パターンが見やすいか否かを検査できるものではなかった、という課題があった。
【課題を解決するための手段】
【０００４】
本第一の発明の立体視検査装置は、右目用の情報と左目用の情報が異なる両眼性ノイズの情報である両眼性ノイズ情報を格納している両眼性ノイズ情報格納部と、前記両眼性ノイズ情報格納部の両眼性ノイズ情報を取得する両眼性ノイズ情報取得部と、前記両眼性ノイズ情報取得部が取得した両眼性ノイズ情報を出力する両眼性ノイズ情報出力部と、を具備する立体視検査装置である。
かかる構成により、立体パターンが見やすいか否かを検査できる。なお、立体パターンとは、立体的に見える図柄である。図柄とは、模様、文字、図形などを含む。
【０００５】
また、本第二の発明の立体視検査装置は、第一の発明に対して、前記出力された両眼性ノイズ情報に対する回答を受け付ける回答受付部と、前記回答に基づいて正誤を判断する正誤判断部と、前記正誤判断部における判断結果を出力する判断結果出力部をさらに具備するである。
かかる構成により、立体パターンが見やすいか否かを検査でき、かつ検査結果が自動的に判断できる。
【０００６】
また、本第三の発明の立体視検査装置は、第一、第二の発明に対して、前記両眼性ノイズ情報は、右目用の図柄と左目用の図柄が同じであり、かつ両図柄の位置がずれていることにより、情報が異なる両眼網膜像差ノイズの情報である。
また、本第四の発明の立体視検査装置は、第一、第二の発明に対して、前記両眼性ノイズ情報は、右目用の図柄と左目用の図柄が異なることにより情報が異なる両眼間非対応ノイズの情報である。
【発明の効果】
【０００７】
本発明による立体視検査装置によれば、立体パターンが見やすいか否かを検査できる。
【発明を実施するための最良の形態】
【０００８】
以下、立体視検査装置等の実施形態について図面を参照して説明する。なお、実施の形態において同じ符号を付した構成要素は同様の動作を行うので、再度の説明を省略する場合がある。
（実施の形態１）
【０００９】
図１は、本実施の形態における立体視検査装置のブロック図である。本立体視検査装置は、指示受付部１０１、両眼性ノイズ情報格納部１０２、両眼性ノイズ情報取得部１０３、両眼性ノイズ情報出力部１０４、回答受付部１０５、正誤判断部１０６、判断結果出力部１０７を具備する。
【００１０】
指示受付部１０１は、両眼性ノイズ情報の出力指示を受け付ける。出力指示の入力手段は、リモコンやテンキーやキーボードやマウスやメニュー画面によるもの等、何でも良い。指示受付部１０１は、リモコンやテンキーやキーボード等の入力手段のデバイスドライバーや、メニュー画面の制御ソフトウェア等で実現され得る。
【００１１】
両眼性ノイズ情報格納部１０２は、右目用の情報と左目用の情報が異なる両眼性ノイズの情報である両眼性ノイズ情報を格納している。両眼性ノイズ情報は、右目用の情報と左目用の情報を有するが、かかる両情報は、重なっていても良いし、別の領域に存在しても良い。また、例えば、両眼性ノイズ情報は、右目用の図柄と左目用の図柄が、ターゲットを除いて同じであり、かつ両図柄の位置がずれていることにより、情報が異なる両眼網膜像差ノイズの情報である。ここで、ターゲットとは、検査の対象の立体パターンの箇所であり、検査者に当ててほしい回答の箇所である。また、図柄とは、模様、文字、図形などを含む。また、例えば、両眼性ノイズ情報は、右目用の図柄と左目用の図柄が異なることにより、右目用の情報と左目用の情報が異なる両眼性ノイズである両眼間非対応ノイズの情報である。両眼性ノイズ情報は、複数のターゲットの候補であるターゲット候補を有することは好適である。両眼性ノイズ情報の例は後述する。両眼性ノイズ情報の図柄は問わない。両眼性ノイズ情報格納部１０２は、不揮発性の記録媒体が好適であるが、揮発性の記録媒体でも実現可能である。
【００１２】
両眼性ノイズ情報取得部１０３は、両眼性ノイズ情報格納部１０２の両眼性ノイズ情報を取得する。両眼性ノイズ情報取得部１０３は、通常、指示受付部１０１が両眼性ノイズ情報の出力指示を受け付けた場合に、両眼性ノイズ情報を取得するが、自動的に、または他のトリガーにより両眼性ノイズ情報を取得しても良い。
【００１３】
両眼性ノイズ情報出力部１０４は、両眼性ノイズ情報取得部１０３が取得した両眼性ノイズ情報を出力する。ここで、出力とは、ディスプレイへの表示、外部の装置（通常、ディスプレイ装置）への送信等を含む概念である。両眼性ノイズ情報出力部１０４は、ディスプレイ等の出力デバイスを含むと考えても含まないと考えても良い。両眼性ノイズ情報出力部１０４は、出力デバイスのドライバーソフトまたは、出力デバイスのドライバーソフトと出力デバイス等で実現され得る。
【００１４】
回答受付部１０５は、出力された両眼性ノイズ情報に対する回答を受け付ける。つまり、ユーザ（検査者）は、出力された両眼性ノイズ情報を見て、回答を入力する。回答の入力手段は、リモコンやテンキーやキーボードやマウスやメニュー画面によるもの等、何でも良い。回答受付部１０５は、リモコンやテンキーやキーボード等の入力手段のデバイスドライバーや、メニュー画面の制御ソフトウェア等で実現され得る。
【００１５】
正誤判断部１０６は、回答受付部１０５が受け付けた回答に基づいて正誤を判断する。正誤判断部１０６は、通常、正解の回答を保持している。また、正誤判断部１０６は、好ましくは、複数の回答を受け付け、当該複数の正誤を判断する。正誤判断部１０６は、通常、ＭＰＵやメモリ等から実現され得る。正誤判断部１０６の処理手順は、通常、ソフトウェアで実現され、当該ソフトウェアはＲＯＭ等の記録媒体に記録されている。但し、ハードウェア（専用回路）で実現しても良い。
【００１６】
判断結果出力部１０７は、正誤判断部１０６における判断結果を出力する。出力とは、ディスプレイへの表示、プリンタへの印字、音出力、外部の装置への送信等を含む概念である。また、出力とは、判断結果を示す信号の出力でも良い。判断結果出力部１０７は、ディスプレイやスピーカー等の出力デバイスを含むと考えても含まないと考えても良い。判断結果出力部１０７は、出力デバイスのドライバーソフトまたは、出力デバイスのドライバーソフトと出力デバイス等で実現され得る。
【００１７】
次に、立体視検査装置の動作について図２のフローチャートを用いて説明する。
（ステップＳ２０１）指示受付部１０１は、両眼性ノイズ情報の出力指示を受け付けたか否かを判断する。出力指示を受け付ければステップＳ２０２に行き、出力指示を受け付けなければステップＳ２０１に戻る。
（ステップＳ２０２）両眼性ノイズ情報取得部１０３は、両眼性ノイズ情報格納部１０２から両眼性ノイズ情報を取得する。
（ステップＳ２０３）両眼性ノイズ情報出力部１０４は、ステップＳ２０２で取得した両眼性ノイズ情報を出力する。
（ステップＳ２０４）正誤判断部１０６は、カウンタｉに１を代入する。
【００１８】
（ステップＳ２０５）正誤判断部１０６は、「ｉ＜＝ｎ」であるか否かを判断する。「ｉ＜＝ｎ」であればステップＳ２０６に行き、「ｉ＜＝ｎ」でなければ処理を終了する。なお、ｎは、入力される回答の数である。つまり、例えば、ｎは検査者の数である。
（ステップＳ２０６）正誤判断部１０６は、ｉ番目の回答を受け付けたか否かを判断する。ｉ番目の回答を受け付ければステップＳ２０７に行き、ｉ番目の回答を受け付けなければステップＳ２０６に戻る。
【００１９】
（ステップＳ２０７）正誤判断部１０６は、予め格納されている正解の情報を取得する。なお、予め格納されている正解の情報は一つでなく、出力される両眼性ノイズ情報に対応して存在することは好適である。
（ステップＳ２０８）正誤判断部１０６は、ステップＳ２０６で受け付けた回答と、ステップＳ２０７で取得した正解の情報に基づいて、回答が正解か否かを判断する。
（ステップＳ２０９）判断結果出力部１０７は、ステップＳ２０８における正誤の判断結果を出力する。
（ステップＳ２１０）正誤判断部１０６は、カウンタｉを１、インクリメントする。ステップＳ２０５に戻る。
【００２０】
なお、図２のフローチャートにおいて、判断結果の出力は一度でも良い。つまり、検査者全員の回答が正解であるか否かにより、判断結果出力部１０７は、「ＯＫ／ＮＧ」のいずれかを出力しても良い。また、判断結果出力部１０７は、正解の回答数を出力しても良い。その他、判断結果出力部１０７における判断結果の出力態様は、問わない。
以下、本実施の形態における立体視検査装置の具体的な動作について説明する。
【００２１】
まず、両眼性ノイズ情報格納部１０２は、図３に示す両眼性ノイズ情報を格納している、とする。本両眼性ノイズ情報は、両眼網膜像差ノイズの情報である。また、図３（ａ）は、右目用の情報であり、図３（ｂ）は左目用の情報である。そして、検査者は、例えば、リモコンを用いて、両眼性ノイズ情報の出力指示を行う。次に、両眼性ノイズ情報取得部１０３は、図３の両眼性ノイズ情報を取得する。両眼性ノイズ情報出力部１０４は、図３の両眼性ノイズ情報を出力する。かかる両眼性ノイズ情報の出力例が、図４である。図４において、「１」から「６」の符号は、ターゲット候補に付与された符号である。検査者は、予め、ターゲットを検出したら、当該ターゲットに対応する符号を、リモコンで入力するように教育を受けている、とする。なお、ターゲットとは、図４の画面上の６つの棒のうち、他と異なり、立体的に見える棒である。また、図４の例において、６つの棒のうち、右上の棒から時計回りに「１」「２」「３」「４」「５」「６」の番号が付与されている、として、検査者はターゲットに対応する番号をリモコンで押下する、とする。
【００２２】
次に、検査者は、ターゲットを検査し、その番号を、リモコンで入力する。ここで、検査者は、リモコンのボタン「６」を押下する、とする。
正誤判断部１０６は、回答「６」を受け付ける。また、正誤判断部１０６は、図３の両眼性ノイズ情報に対応する正解は、「６」であることを格納している、とする。
そして、正誤判断部１０６は、受け付けられた回答「６」と、正解の回答「６」に基づいて、回答は「正解」であると判断する。
【００２３】
次に、判断結果出力部１０７は、正誤の判断結果「正解」を出力する。なお、正誤の判断結果が「不正解」である場合に、正誤判断部１０６は、外部のスピーカーにビープ音を出力するような構成でも良いし、製造ライン（立体テレビの検査ライン）から、当該立体テレビをはずす信号を、製造ラインの制御装置（図示しない）に出力する構成でも良い。
正誤の判断結果「正解」の出力により、検査者は、両眼網膜像差ノイズの情報に基づいて、本立体視検査装置の立体パターンが見やすいものであることが分かる。
【００２４】
次に、両眼性ノイズ情報格納部１０２は、図５に示す両眼性ノイズ情報を格納している、とする。本両眼性ノイズ情報は、両眼間非対応ノイズの情報である。また、図５（ａ）は、右目用の情報であり、図５（ｂ）は左目用の情報である。そして、検査者は、リモコンを用いて、両眼性ノイズ情報の出力指示を行う。次に、両眼性ノイズ情報取得部１０３は、図５の両眼性ノイズ情報を取得する。両眼性ノイズ情報出力部１０４は、図５の両眼性ノイズ情報を出力する。かかる両眼性ノイズ情報の出力例が、図６である。なお、図６において、「１」から「６」の符号は、ターゲット候補に付与された符号である。
次に、検査者は、ターゲットを検査し、その番号を、リモコンで入力する。ここで、検査者は、リモコンのボタン「４」を押下する、とする。
正誤判断部１０６は、回答「４」を受け付ける。また、正誤判断部１０６は、図５の両眼性ノイズ情報に対応する正解は、「４」であることを格納している、とする。
そして、正誤判断部１０６は、受け付けられた回答「４」と、正解の回答「４」に基づいて、回答は「正解」であると判断する。
次に、判断結果出力部１０７は、正誤の判断結果「正解」を出力する。
正誤の判断結果「正解」の出力により、検査者は、両眼間非対応ノイズの情報に基づいても、本立体視検査装置の立体パターンが見やすいものであることが分かる。
【００２５】
以上、本実施の形態によれば、両眼性ノイズ情報を出力する立体視検査装置により、立体パターンが見やすいか否かを検査できる。また、本立体視検査装置は、検査者の回答を受け付け、立体パターンが見やすいか否かを自動的に判断できる。
なお、本実施の形態における立体視検査装置は、例えば、チューナー等を具備する立体テレビであっても良い。また、本実施の形態における立体視検査装置は、立体テレビを検査する立体視検査装置であっても良い。
【００２６】
また、本実施の形態によれば、立体視検査装置は、指示受付部、両眼性ノイズ情報格納部、両眼性ノイズ情報取得部、両眼性ノイズ情報出力部、回答受付部、正誤判断部、判断結果出力部を具備したが、立体視検査装置は、指示受付部、両眼性ノイズ情報格納部、両眼性ノイズ情報取得部、両眼性ノイズ情報出力部だけの構成でも良い。
また、本実施の形態によれば、立体視検査装置は、検査者がディスプレイに表示された図柄を覗くウィンドウを有しなかった。しかし、立体視検査装置は、図７に示すような検査者がディスプレイに表示された図柄を覗くウィンドウを有する形態でも良い。なお、図７において、検査者は、２つのウィンドウのぞれぞれを、左目、右目で覗き、表示された両眼性ノイズを見て、ターゲットを検出し、回答を入力する。なお、図７において、回答を入力する手段は問わない。
【００２７】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、格納している両眼性ノイズ情報を取得する両眼性ノイズ情報取得ステップと、前記両眼性ノイズ情報取得ステップで取得した両眼性ノイズ情報を出力する両眼性ノイズ情報出力ステップと、を実行させるためのプログラム、である。
【００２８】
また、上記プログラムは、コンピュータに、前記出力された両眼性ノイズ情報に対する回答を受け付ける回答受付ステップと、前記回答に基づいて正誤を判断する正誤判断ステップと、前記正誤判断ステップにおける判断結果を出力する判断結果出力ステップと、をさらに実行させるためのプログラムでも良い。
【００２９】
また、上記各実施の形態において、各処理（各機能）は、単一の装置（システム）によって集中処理されることによって実現されてもよく、あるいは、複数の装置によって分散処理されることによって実現されてもよい。
【００３０】
また、図８は、本明細書で述べたプログラムを実行して、上述した種々の実施の形態の情報処理装置を実現するコンピュータの外観を示す。上述の実施の形態は、コンピュータハードウェア及びその上で実行されるコンピュータプログラムで実現され得る。図８は、このコンピュータシステム３００の概観図であり、図９は、システム３００のブロック図である。
図８において、コンピュータシステム３００は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３０１と、キーボード３０２と、マウス３０３と、モニタ３０４とを含む。
【００３１】
図９において、コンピュータ３０１は、ＦＤドライブ３０１１、ＣＤ−ＲＯＭドライブ３０１２に加えて、ＣＰＵ（Ｃｅｎｔｒａｌ  Ｐｒｏｃｅｓｓｉｎｇ  Ｕｎｉｔ）３０１３と、ＣＰＵ３０１３、ＣＤ−ＲＯＭドライブ３０１２及びＦＤドライブ３０１１に接続されたバス３０１４と、ブートアッププログラム等のプログラムを記憶するためのＲＯＭ（Ｒｅａｄ−Ｏｎｌｙ  Ｍｅｍｏｒｙ）３０１５と、ＣＰＵ３０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
コンピュータシステム３００に、上述した実施の形態の情報処理装置の機能を実行させるプログラムは、ＣＤ−ＲＯＭ３１０１、またはＦＤ３１０２に記憶されて、ＣＤ−ＲＯＭドライブ３０１２またはＦＤドライブ３０１１に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１、ＦＤ３１０２またはネットワークから直接、ロードされても良い。
【００３２】
プログラムは、コンピュータ３０１に、上述した実施の形態の情報処理装置の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
また、上記プログラムを実行するコンピュータは、単数であってもよく、複数であってもよい。すなわち、集中処理を行ってもよく、あるいは分散処理を行ってもよい。
本発明は、以上の実施の形態に限定されることなく、種々の変更が可能であり、それらも本発明の範囲内に包含されるものであることは言うまでもない。
【産業上の利用可能性】
【００３３】
以上のように、本発明にかかる立体視検査装置は、立体パターンが見やすいか否かを検査できる、という効果を有し、立体テレビ等として有用である。
【図面の簡単な説明】
【００３４】
【図１】実施の形態における立体視検査装置のブロック図
【図２】同立体視検査装置の動作について説明するフローチャート
【図３】同両眼性ノイズ情報格納部の両眼性ノイズ情報の例を示す図
【図４】同両眼性ノイズ情報の出力例を示す図
【図５】同（両眼性ノイズ情報格納部の両眼性ノイズ情報の例を示す図
【図６】同両眼性ノイズ情報の出力例を示す図
【図７】同立体視検査装置の形態の一態様を示す図
【図８】同立体視検査装置を実現するコンピュータの外観を示す図
【図９】同立体視検査装置を実現するコンピュータシステムのブロック図
【符号の説明】
【００３５】
１０１  指示受付部
１０２  両眼性ノイズ情報格納部
１０３  両眼性ノイズ情報取得部
１０４  両眼性ノイズ情報出力部
１０５  回答受付部
１０６  正誤判断部
１０７  判断結果出力部
【図１】
2006304811.tif 000003
【図２】
2006304811.tif 000004
【図７】
2006304811.tif 000005
【図８】
2006304811.tif 000006
【図９】
2006304811.tif 000007
【図３】
2006304811.tif 000008
【図４】
2006304811.tif 000009
【図５】
2006304811.tif 000010
【図６】
2006304811.tif 000011